(57)【要約】【課題】赤、緑、青の各色のチップを備えた一個のフルカラーＬＥＤを用いて複数の発光部を異なった色で同時に発光させることを可能とした電飾装飾体、遊技盤ユニット、及びパチンコ遊技機を提供する。【解決手段】赤色ＬＥＤチップ３４Ｒ、緑色ＬＥＤチップ３４Ｇ、及び青色ＬＥＤチップ３４Ｂを備えたフルカラーＬＥＤ３０と、赤色発光部２５Ｒ、緑色発光部２５Ｇ、及び青色発光部２５Ｂと、入射端部を各ＬＥＤチップに近接させた状態で夫々固定されると共に出射端部を赤色発光部、緑色発光部、及び青色発光部に夫々接続された赤色用光ファイバー４１Ｄ、緑色用光ファイバー４１Ｇ、及び青色用光ファイバー４１Ｂと、を備えた。【選択図】図２
2011110375.tif 000002
【特許請求の範囲】
【請求項１】
赤色ＬＥＤチップ、緑色ＬＥＤチップ、及び青色ＬＥＤチップを備えたフルカラーＬＥＤと、赤色発光部、緑色発光部、及び青色発光部と、入射端部を前記各ＬＥＤチップに近接させた状態で夫々固定されると共に出射端部を前記赤色発光部、緑色発光部、及び青色発光部に夫々接続された赤色用光ファイバー、緑色用光ファイバー、及び青色用光ファイバーと、を備えたことを特徴とする電飾装飾体。
【請求項２】
前記フルカラーＬＥＤは、前記赤色ＬＥＤチップ、緑色ＬＥＤチップ、及び青色ＬＥＤチップを搭載した基板を備え、
前記各光ファイバーの入射端部を支持したカプラを前記基板に固定した構成を備えたことを特徴とする請求項１に記載の電飾装飾体。
【請求項３】
前記各赤色ＬＥＤチップ、緑色ＬＥＤチップ、及び青色ＬＥＤチップに対して、前記赤色用光ファイバー、緑色用光ファイバー、及び青色用光ファイバーの各入射端部を夫々専属的に対応付けて固定したことを特徴とする請求項１、又は２に記載の電飾装飾体。
【請求項４】
前記各赤色ＬＥＤチップ、緑色ＬＥＤチップ、及び青色ＬＥＤチップに対して、前記赤色用光ファイバー、緑色用光ファイバー、及び青色用光ファイバーの各入射端部を夫々非専属的に対応付けて固定したことを特徴とする請求項１、又は２に記載の電飾装飾体。
【請求項５】
請求項１乃至４の何れか一項に記載の電飾装飾体と、遊技盤と、を備えたことを特徴とする遊技盤ユニット。
【請求項６】
請求項５に記載の遊技盤ユニットを備えたことを特徴とするパチンコ遊技機。
【発明の詳細な説明】
【技術分野】
【０００１】
本発明は、一個のフルカラーＬＥＤを用いて少なくとも３個の発光部を異なった色で同時に発光させることを可能とした電飾装飾体、遊技盤ユニット、及びパチンコ遊技機に関する。
【背景技術】
【０００２】
パチンコ遊技機においては、遊技盤の盤面に入賞口、風車、図柄表示装置、電飾装置等の各種盤面部品を設けて遊技内容の多様性を図っている。そして、遊技盤に設けられた始動入賞口に遊技球が入賞すると、遊技盤中の図柄表示装置に表示される図柄が変動を開始し、所定時間経過後に停止した図柄が予め定めた大当たり図柄となった場合に大当たり状態となり、遊技者が大量の出球を獲得できるようになっている。このような遊技機では、遊技の興趣を高めるために様々な表示演出が行われる。
例えば、遊技の進行中における入賞、その他の遊技状態の変化を視覚的に表現、報知したり、遊技進行上での電飾効果を図る等の目的から、遊技盤、可動盤面部品、その他任意の部位にＬＥＤランプやフィラメント式ランプ等の発光装置を配置している（特許文献１、２）。
ＬＥＤは、小型、低コスト等の理由により、パチンコ遊技機等の遊技機においては電飾用光源として多用されており、遊技盤や、役物等の盤面部品に組み付けられて遊技進行上の効果を狙って使用されることが多い。
しかし、例えば役物上に固定配置されたＬＥＤランプを用いた演出としては、せいぜいＬＥＤランプを発光、消灯させるタイミングを種々変化させたり、光量、発光色を変化させる程度であり、多様性ある演出は困難であった。
【０００３】
従来から白色発光を得たり、発光色を変化させる手段としてフルカラーＬＥＤが使用されている（特許文献３）。フルカラーＬＥＤはパッケージ内に赤、緑、青の発光ダイオードチップを配置した構成を備え、各チップからの発光を個別に制御することにより混色させて、白色、その他の任意の発光色を得るようにしている。例えば、一つのフルカラーＬＥＤに複数本の光ファイバーを接続すれば、各光ファイバーを介して複数の発光部を同一色で同時に発光させることができる。
しかし、これまで一つのフルカラーＬＥＤを用いて複数の発光部を白色以外の異なった色で同時に発光させることはできなかった。即ち、一つのフルカラーＬＥＤから出力する色を種々変化させることは可能であるが、遊技盤面上に複数個配置された発光部の光源としてフルカラーＬＥＤを使用する場合に各発光部から同時に異なった色を出力させようとすれば、発光部毎に光源として別個のフルカラーＬＥＤを用意する必要があった。このため、使用するＬＥＤ数が増大するという問題があった。
【先行技術文献】
【特許文献】
【０００４】
【特許文献１】特開２００９−０００３０３公報
【特許文献２】特開２００９−０６６２２１公報
【特許文献３】特開２００６−０２６４３７公報
【発明の概要】
【発明が解決しようとする課題】
【０００５】
従来のフルカラーＬＥＤを用いた遊技機にあっては、複数の発光部を同時に異なった色で発光させようとすれば、夫々異なったフルカラーＬＥＤを用いる必要があり、ＬＥＤの使用個数が増大するという問題があった。
本発明は上記に鑑みてなされたものであり、赤、緑、青の各色のチップを備えた一個のフルカラーＬＥＤを用いて複数の発光部を異なった色で同時に発光させることを可能とした電飾装飾体、遊技盤ユニット、及びパチンコ遊技機に関する。
【課題を解決するための手段】
【０００６】
上記目的を達成するため、請求項１の発明に係る電飾装飾体は、赤色ＬＥＤチップ、緑色ＬＥＤチップ、及び青色ＬＥＤチップを備えたフルカラーＬＥＤと、赤色発光部、緑色発光部、及び青色発光部と、入射端部を前記各ＬＥＤチップに近接させた状態で夫々固定されると共に出射端部を前記赤色発光部、緑色発光部、及び青色発光部に夫々接続された赤色用光ファイバー、緑色用光ファイバー、及び青色用光ファイバーと、を備えたことを特徴とする。
本発明によれば、赤、緑、青の各色のＬＥＤチップ（発光ダイオードチップ）を備えた一個のフルカラーＬＥＤを用いて複数の発光部を異なった色で同時に発光させることができる。即ち、フルカラーＬＥＤは本来発光色が異なる個々のＬＥＤチップからの光を混色させることによって白色、その他の任意の色を発光させるという用途を有しているが、このような用い方をした場合には一つのフルカラーＬＥＤから同時に出射される色は一色に限定される。このため、複数の発光部を同時に異なった色で発光させたい場合には発光色の数だけフルカラーＬＥＤを用意する必要があった。本発明では、一個のフルカラーＬＥＤに搭載された赤色、緑色、及び青色の各ＬＥＤチップに対して光ファイバー（束）の入射端部を対面させるようにしたので、一つのフルカラーＬＥＤによって複数の発光部を異なった色で同時に発光させることが可能となる。
【０００７】
請求項２の発明は、前記フルカラーＬＥＤは、前記赤色ＬＥＤチップ、緑色ＬＥＤチップ、及び青色ＬＥＤチップを搭載した基板を備え、前記各光ファイバーの入射端部を支持したカプラを前記基板に固定した構成を備えたことを特徴とする。
請求項３の発明は、前記各赤色ＬＥＤチップ、緑色ＬＥＤチップ、及び青色ＬＥＤチップに対して、前記赤色用光ファイバー、緑色用光ファイバー、及び青色用光ファイバーの各入射端部を夫々専属的に対応付けて固定したことを特徴とする。
請求項４の発明は、前記各赤色ＬＥＤチップ、緑色ＬＥＤチップ、及び青色ＬＥＤチップに対して、前記赤色用光ファイバー、緑色用光ファイバー、及び青色用光ファイバーの各入射端部を夫々非専属的に対応付けて固定したことを特徴とする。
請求項５の発明に係る遊技盤ユニットは、請求項１乃至４の何れか一項に記載の電飾装飾体と、遊技盤と、を備えたことを特徴とする。
請求項６の発明に係るパチンコ遊技機は、請求項５に記載の遊技盤ユニットを備えたことを特徴とする。
【発明の効果】
【０００８】
本発明によれば、赤、緑、青の各色のチップを備えた一個のフルカラーＬＥＤを用いて複数の発光部を異なった色で同時に発光させることを可能とした電飾装飾体、遊技盤ユニット、及びパチンコ遊技機を提供することができる。
即ち、本発明では、一個のフルカラーＬＥＤに搭載された赤色、緑色、及び青色の各ＬＥＤチップに対して光ファイバー（束）の入射端部を対面させるようにしたので、一つのフルカラーＬＥＤによって複数の発光部を異なった色で同時に発光させることが可能となる。
【図面の簡単な説明】
【０００９】
【図１】本発明に係る電飾装飾体を搭載したパチンコ遊技機の正面図である。
【図２】電飾装飾体の全体構成を示す断面図である。
【図３】（ａ）（ｂ）及び（ｃ）はフルカラーＬＥＤの要部平面図、全体正面図、及び全体側面図である。
【図４】（ａ）及び（ｂ）はＬＥＤチップ搭載部の平面図、及びカプラにより支持された３束の光ファイバーの入射端部を示した図である。
【図５】（ａ）及び（ｂ）は各ＬＥＤチップと光ファイバーとの位置関係を示す説明図である。
【発明を実施するための形態】
【００１０】
以下、本発明を図面に示した実施の形態により詳細に説明する。
図１は本発明の実施の形態に係るパチンコ遊技機の全体正面図である。
この図に示すパチンコ遊技機１は、矩形形状の枠２を有し、この枠２の窓孔に対して表側から遊技盤３が着脱可能に取り付けられている。
遊技盤３には、遊技領域の外周縁に沿って前方に突出されたガイドレールが設けられている。ガイドレールは発射装置から発射された遊技球を遊技領域の上部に案内したり、アウト球を回収するアウト口１８に案内したりする外レールＲ１及び内レールＲ２により構成される。
遊技盤３の前面側には、図示しないガラス枠が開閉可能に取り付けられている。またガラス枠の下部には遊技球を貯留する受け皿部４と、受け皿部４内の遊技球を発射する発射レバー５等が設けられている。また、受け皿部４の上部には、例えば遊技演出用のチャンスボタンや十字キーなどの操作部６や、遊技球の購入ボタンや購入取り消しボタンなどが設けられている。
【００１１】
遊技盤３の略中央には、図柄表示装置９が配置されている。図柄表示装置９は、例えば、液晶表示装置等の液晶表示パネルによって構成され、通常動作状態の時は図示しない特別図柄画像が表示される。また、所謂リーチ状態や特別遊技状態の時はそれぞれの遊技状態であることを示す演出画像等が表示される。
図柄表示装置９の下方には、図柄表示装置９の特別図柄を可変表示させるための可変入賞装置１１が設けられている。
また、図柄表示装置９の左側には、遊技盤３の右下部に配置された普通図柄表示装置１０に表示される普通図柄を作動させるためのゲート１２が設けられている。
さらに、可変入賞装置１１の下方には、特別遊技状態の一つである大当り状態のときに開成状態になる開閉扉を有する大入賞口１３が設けられている。
可変入賞装置１１は、図柄表示装置９を可変表示させるための上始動ポケット１４と、左右一対の開閉爪（可動片）を有する電動式チューリップ１７と、を備えている。
また遊技盤３には、普通入賞口１６が設けられていると共に、風車１５や多数の遊技釘が突設されている。遊技釘は、遊技球の落下速度を遅くすると共に、落下方向を複雑に変化させて遊技進行上の興趣を高めている。
【００１２】
普通図柄表示装置１０に表示される普通図柄は、１個または複数個の図柄を変動表示可能であり、普通図柄始動口としてのゲート１２が遊技球を検出することを条件に、その図柄が乱数制御等により所定時間可変して停止するようになっている。
普通図柄としては、数字図柄、アルファベット図柄、キャラクター図柄、その他の適宜の遊技図柄が使用される。そして、ゲート１２を遊技球が通過したことを条件に乱数制御により普通図柄が所定態様となった場合に、可変入賞装置１１に設けられた電動式チューリップから成る可動片を所定時間、開成動作するように構成されている。
図柄表示装置９に表示される特別図柄は、停止図柄が予め定められた図柄の組合せ、例えば同一図柄の組合せとなった場合に大当り状態となるように構成されている。また特別図柄は、可変入賞装置１１の上始動ポケット１４、又は電動式チューリップの開成動作により遊技球が誘導される下始動口（図示していない）への遊技球の入賞を検出することを条件に乱数制御等により表示がスクロールする等、所定の変動パターンで所定時間変動（可変）して図柄で停止するようになっている。その際、有効ライン上に２個の停止図柄が同一となった場合に、リーチ状態が発生し、このリーチ状態において、有効ライン上の最後の停止図柄が既に停止している２個の図柄と同一となった場合に大当り状態が発生する。なお、特別図柄としては、数字図柄、アルファベット図柄、キャラクター図柄等が使用可能である。
図柄表示装置９の上部には、樹木の枝を象った電飾装飾体２０が配置されており、電飾装飾体２０に搭載された複数の発光部は遊技の進行状況に応じて発光するように構成されている。
【００１３】
図２は電飾装飾体２０の全体構成を示す断面図であり、樹木の枝を象った装飾体本体２１と、装飾体本体２１を構成する小枝２１ａの各所に配置された透光材料から成る発光部２５と、各発光部２５を発光させるフルカラーＬＥＤ３０と、各発光部２５に先端（出射端部）を接続された状態で装飾体本体２１内に配線され且つ他端（入射端部）をカプラ４５によって支持された状態でフルカラーＬＥＤ３０と接続（近接配置）された光ファイバー４０と、を備えている。
枝を象った装飾体本体２１は、内部に光ファイバー４０を内部に挿通支持する樹脂製の中空体であり、小枝２１ａの先端、その他の任意の位置に配置された透明樹脂等から成る各発光部２５に各光ファイバー４０の出射端部が接続されることにより、フルカラーＬＥＤ３０からの光が発光部２５から出射されるように構成されている。
フルカラーＬＥＤ３０は、図３（ａ）（ｂ）及び（ｃ）のフルカラーＬＥＤの要部平面図、カプラを含めた全体正面図、及び全体側面図に示すように基板３１の面上にＬＥＤチップ搭載部３２、及び配線パターン３５を備えている。ＬＥＤチップ搭載部３２は樹脂製のベース部材３３の上面に設けた凹所３３ａの内底面に赤色ＬＥＤチップ３４Ｒ、緑色ＬＥＤチップ３４Ｇ、及び青色ＬＥＤチップ３４Ｂを近接配置した構成を備えている。
【００１４】
カプラ４５は、各発光部２５から延びる複数本の光ファイバー４０の入射側端部を３つのグループに分けて夫々を束ねると共に、各光ファイバー束の入射端部をフルカラーＬＥＤ上の赤色ＬＥＤチップ３４Ｒ、緑色ＬＥＤチップ３４Ｇ、及び青色ＬＥＤチップ３４Ｂと一対一で対面（近接配置）させている。
本明細書では、赤色ＬＥＤチップ３４Ｒと近接配置された光ファイバー（束）を赤色用光ファイバー（束）４１Ｒと指称し、緑色ＬＥＤチップ３４Ｇと近接配置された光ファイバー（束）を緑色用光ファイバー（束）４１Ｇと指称し、青色ＬＥＤチップ３４Ｂと近接配置された光ファイバー（束）を青色ＬＥＤファイバー（束）４１Ｂと指称する。また、赤色用光ファイバー４１Ｒ、緑色用光ファイバー４１Ｇ、及び青色用光ファイバー４１Ｂの各出射端部と夫々接続された発光部２５を、赤色発光部２５Ｒ、緑色発光部２５Ｇ、及び青色発光部２５Ｂと称する。
【００１５】
本発明に係る電飾装飾体２０は、入射端部を赤色ＬＥＤチップ３４Ｒ、緑色ＬＥＤチップ３４Ｇ、及び青色ＬＥＤチップ３４Ｂに近接させた状態で夫々位置決め固定されると共に出射端部を赤色発光部２５Ｒ、緑色発光部２５Ｇ、及び青色発光部２５Ｂに夫々接続された赤色用光ファイバー（束）４１Ｒ、緑色用光ファイバー（束）４１Ｇ、及び青色用光ファイバー（束）４１Ｂと、を備えた構成が特徴的である。
なお、例えば装飾体本体２１上に赤色発光部２５Ｒが一個しかない場合には、赤色用光ファイバーは一本のみで足りる。つまり、各光ファイバーの本数は対応する色の発光部の本数に対応して設定される。
なお、図２において、装飾体本体２１に対してフルカラーＬＥＤが３個接続されているのは、装飾体本体２１に搭載された発光部の総個数が一つのフルカラーＬＥＤと接続可能な各光色ファイバー束中の光ファイバーの本数を超えているためである。
【００１６】
図４（ａ）及び（ｂ）はＬＥＤチップ搭載部の平面図、及びカプラにより支持された３束の光ファイバーの入射端部を示した底面図である。
カプラ４５は、各光ファイバー（束）４１Ｒ、４１Ｇ、４１Ｂの入射端部を、フルカラーＬＥＤ側の赤色ＬＥＤチップ３４Ｒ、緑色ＬＥＤチップ３４Ｇ、及び青色ＬＥＤチップ３４Ｂと対応させるためにフルカラーＬＥＤの基板面に対してスペーサ４６を介して螺子固定される。カプラ４５は、各光ファイバー４１Ｒ、４１Ｇ、４１Ｂを束ねて所定の位置関係で固定するカプラ本体４７と、カプラ本体４７の先端外周に固定されたフランジ部４８と、を備えている。フランジ部４８をスペーサ４６を介してフルカラーＬＥＤの基板面に螺子固定したときに、ＬＥＤチップ搭載部３２上の各ＬＥＤチップ３４Ｒ、３４Ｇ、３４Ｂと、各光ファイバー（束）４１Ｒ、４１Ｇ、４１Ｂの入射端部が一対一で対応するように構成されている。
以上のように構成したため、一つのフルカラーＬＥＤを構成する赤色ＬＥＤチップ３４Ｒ、緑色ＬＥＤチップ３４Ｇ、及び青色ＬＥＤチップ３４Ｂを同時に発光させた場合、各光ファイバー４１Ｒ、４１Ｇ、４１Ｂを介して接続された赤色発光部２５Ｒ、緑色発光部２５Ｇ、及び青色発光部２５Ｂを同時に異なった色（赤色、緑色、青色）にて夫々発光させることができる。
換言すれば、各光ファイバー（束）４１Ｒ、４１Ｇ、４１Ｂを構成する光ファイバーの本数と見合う数の発光部を発光させるためには、一つのフルカラーＬＥＤを用いれば十分である。
【００１７】
なお、上記実施形態では、各光ファイバー４１Ｒ、４１Ｇ、４１Ｂの入射端部を夫々赤色ＬＥＤチップ３４Ｒ、緑色ＬＥＤチップ３４Ｇ、及び青色ＬＥＤチップ３４Ｂと専属的に対応させることにより、赤色用光ファイバー４１Ｒには赤色以外の光が入射しないように構成し、緑色用光ファイバー４１Ｇには緑色以外の光が入射しないように構成し、青色用光ファイバー４１Ｂは青色以外の光が入射しないように構成し、その結果各発光部の発光色が赤色、緑色、及び青色となる場合を説明した（図５（ａ）参照）。なお、ここで専属的に対応させるとは、特定色のＬＥＤチップの発光を特定の光ファイバー（束）だけが受光する状態を指称する。
これに対して、各光ファイバー４１Ｒ、４１Ｇ、４１Ｂの入射端部を夫々赤色ＬＥＤチップ３４Ｒ、緑色ＬＥＤチップ３４Ｇ、及び青色ＬＥＤチップ３４Ｂと専属的に対応させないことにより（非専属的に対応付けることにより）、発光部を混色した発光色にて発光させることが可能となる。即ち、図５（ｂ）に示すように一つの光ファイバー束が２つのＬＥＤチップに跨って対面するように配置することにより、一本の光ファイバーに複数のＬＥＤチップから出力される色を重畳させることが可能となり、赤色と緑色、緑色と青色、赤色と青色の混色が可能となる。従って、赤色、緑色、青色以外の色を任意の発光部に出力することが可能となる。なお、ここで非専属的に対応させるとは、複数のＬＥＤチップからの各発光を一つの光ファイバー（束）が受光する状態を指称する。
【００１８】
以上のように本発明の電飾装飾体によれば、赤、緑、青の各色のＬＥＤチップ（発光ダイオードチップ）を備えた一個のフルカラーＬＥＤを用いて複数の発光部を異なった色で同時に発光させることができる。即ち、フルカラーＬＥＤは本来発光色が異なる個々のＬＥＤチップからの光を混色させることによって白色、その他の任意の色を発光させるという用途を有しているが、このような用い方をした場合には一つのフルカラーＬＥＤから同時に出射される色は一色に限定される。このため、複数の発光部を同時に異なった色で発光させたい場合には発光色の数だけフルカラーＬＥＤを用意する必要があった。本発明では、一個のフルカラーＬＥＤに搭載された赤色、緑色、及び青色の各ＬＥＤチップに対して光ファイバー（束）の入射端部を対面させるようにしたので、一つのフルカラーＬＥＤによって複数の発光部を異なった色で同時に発光させることが可能となる。
個々の光ファイバー（束）を個々のＬＥＤチップと専属的に近接配置した場合には、各光ファイバーと接続された発光部を赤色、緑色、又は青色に発光させることができる。また、個々の光ファイバー（束）を複数のＬＥＤチップに跨って（個々のＬＥＤチップと非専属的に）近接配置した場合には、各光ファイバーと接続された発光部を赤色、緑色、青色のうちの二色以上を混色させた任意の色にて発光させることが可能となる。
なお、本発明に係る電飾装飾体２０を遊技盤３に組み付けることによって構築される遊技盤ユニットは、パチンコ遊技機、その他の遊技機に適用することができる。
【符号の説明】
【００１９】
１…パチンコ遊技機、３…遊技盤、４…皿部、５…発射レバー、６…操作部、１０…普通図柄表示装置、１１…可変入賞装置、１２…ゲート、１３…大入賞口、１４…上始動ポケット、１５…風車、１６…普通入賞口、１７…電動式チューリップ、１８…アウト口、２０…電飾装飾体、２１…装飾体本体、２１ａ…小枝、２５…発光部、２５Ｂ…青色発光部、２５Ｇ…緑色発光部、２５Ｒ…赤色発光部、３０…フルカラーＬＥＤ、３１…基板、３２…ＬＥＤチップ搭載部、３３…ベース部材、３４Ｂ…青色ＬＥＤチップ、３４Ｇ…緑色ＬＥＤチップ、３４Ｒ…赤色ＬＥＤチップ、３５…配線パターン、４０…光ファイバー、４１Ｂ…青色用光ファイバー、４１Ｇ…緑色用光ファイバー、４１Ｒ…赤色用光ファイバー、４５…カプラ、４６…スペーサ、４７…カプラ本体、４８…フランジ部
【図１】
2011110375.tif 000003
【図２】
2011110375.tif 000004
【図３】
2011110375.tif 000005
【図４】
2011110375.tif 000006
【図５】
2011110375.tif 000007